Podtech/llm-jp-corpus-v4-ja_patent huggingface dataset:
(57)【要約】【課題】コーヒーペーパーフイルターの形状に合わせ、数多くのフイルターを保存、保管が出来、衛生上、機能上、インテリアとしても、何の遜色も無い。【解決手段】本体１に、上蓋２を設け、本体１納付内部にコーヒーペーパーフイルターの形状に合わせた、収容部の底面を、前面より後方へ向かうにつれて３０度の角度で迫り上げるように勾配を付けたコーヒーペーパーフイルター保存容器である。【選択図】図１
0003106439.tif 000002
【実用新案登録請求の範囲】
【請求項１】
容器本体は、開閉可能な容器本体の収容部をコーヒーペーパーフイルターの形状に合わせると共に、この収容部の底面を、後方に向かうにつれて上がり勾配になるように、形成したことを特徴とする、コーヒーペーパーフイルター保存、保管容器。
【考案の詳細な説明】
【技術の分野】
【０００１】  本考案は、上蓋付き箱形容器とし本体の収容部をコーヒーペーパーフイルターの形状に合わせ、収納部の底面を、後方に向かうにつれて上がり勾配になるようにし、フイルターを収納すると、フイルターは、下より傾斜状になるために、従って一枚ずつ容易に取り出せる保存容器。
【背景の技術】
【０００２】  コーヒーペーパーフイルター容器は、特開平１０−６６６４０号の公報により公知である。
【考案の開示】
【考案が解決しようとする課題】
【０００３】  上記公報のものは、収納部底面が平なのでコーヒーペーパーフイルターを取り出すに際して手間が掛かる。
【課題を解決するための手段】
【０００４】  本体１に、上蓋２を設け、箱形容器で、収容部をコーヒーペーパーフイルターの形状に合わせ、収納部の底面を、前より後方に向かうにつれ３０度の勾配で迫り上げ、収納したフイルターは傾斜状になり、従って一枚づつ容易に取り出すことが出来る様に考案した保存、保管容器である。
【考案の効果】
【０００５】  容器に、収納したコーヒーペーパーフイルターは前方より、後部に向かうにつれて迫り上がり、したがってフイルターは、傾斜状になるため、最後部から容易に一枚づつ取り出すことが出来る。
【考案を実施するための最良の形態】
【０００６】  本体１に、上蓋２を設け箱形にし、コーヒーペーパーフイルターの形状に合わせた収納部４を施し、収容部の底面４−Ａが前面より後方に向かうにつれて、３０度の上り勾配で迫り上がり、フイルターが容器に収まると、フイルターは傾斜状になるため容易に最後部より一枚づつ取り出す事が出来る。
【実施例１】
【０００７】  図１はコーヒーペーパーフイルター容器本体の斜視図である。【０００８】  図２は、正面斜視図で、容器は市販されている、コーヒーペーパーフイルターを保存、保管する正面図で、上蓋２は衛生上設けてある。【０００９】  図３は、側面斜視図で、本体１の前面１−Ｂより点線で表した収納部４の底面４−Ａは前面より後方に向かうにつれて、３０度の角度で迫り上がるようにしている。コーヒーペーパーフイルターを、収納するとフイルターは傾斜状となるために、最後部のフイルターより容易に一枚づつ取り出しが出来る。
蝶番５は上蓋２を開閉するために設けた、開閉は上蓋２のトップを押え後ろに倒す、閉める場合はその逆に持ち上げることで、容易に開閉が出来る。【００１０】  図４は、本体１前面１−Ｂの断面斜視図で、コーヒーペーパーフイルターの角度に合わせた、収容部４を表すものである。
【産業上の利用可能性】
【００１１】  この考案による、コーヒーペーパーフイルター保存、保管容器は、食卓の上に置いても、インテリアとして何の遜色もなく、買い求めた方が、趣味に合わせ本体にそれぞれの装飾を施し、コーヒーライフを楽しめる。
【図面の簡単な説明】
【００１２】
【図１】  本考案の保存容器斜視図である。
【図２】  同上の正面図である。
【図３】  同上の側面図である。
【図４】  同上の断面図である。
【符号の説明】
【００１３】    １      本体。
１−Ｂ  前面
１−Ｃ  後面。
２      上蓋。
３      フイルター倒れ防止板。
４      収容部。
４−Ａ  収納部の底面。
５      蝶番。
６      台輪。
【図１】
0003106439.tif 000003
【図２】
0003106439.tif 000004
【図３】
0003106439.tif 000005
【図４】
0003106439.tif 000006
(57)【要約】【課題】  市販の栽培鉢を中鉢内に置くだけで簡単に底面潅水ができ、また栽培鉢の簡単な取替え機能を持った多重構造の園芸鑑賞鉢を開発しようとするものである。【解決の手段】底部に吸水ひも（４）の厚さと合致した深さの溝（３）を設けた中鉢（１）の底穴から溝（３）に沿って吸水ひも（４）を取り付ける。吸水ひもの付いた中鉢内に給水マットを敷く。前記の如く構成された中鉢を外鉢（２）の内側に差し込む。前記中鉢内の給水マットの上に栽培鉢（９）を置く。【選択図】図１
0003106440.tif 000002
【実用新案登録請求の範囲】
【請求項１】
吸水ひもと給水マットを取り付けた中鉢内に栽培鉢を置き外鉢に差し込んだことを特徴とする、多重構造を持った底面給水用の園芸鑑賞鉢。
【請求項２】
中鉢内部の底に吸水ひもを組み込む溝を取り付けた事を特徴とした請求項１記載の底面給水用の園芸鑑賞鉢。
【考案の詳細な説明】
【技術分野】
【０００１】  本考案は、底面給水方式を利用した多重構造の園芸鑑賞鉢に関するものである。
【背景技術】
【０００２】  従来、植物の管理を省力化または最適化することを目的とした、低部に貯水機能を備えた外鉢を持った多重構造の園芸鑑賞鉢は多くあるが、ひも給水を用いた場合は栽培鉢の底部に吸水ひもを取り付けて使用する必要があった。その方法としてイ）栽培鉢（９）に市販の植物が植わった鉢を使う場合、一度鉢から培土を取り出してから栽培鉢の底部に吸水ひもを取り付けた後、再度培土を栽培鉢に戻す。
ロ）吸水ひもを栽培鉢の底部に取り付けてから栽培鉢に植物を植える。
ハ）栽培鉢に培土が入った状態で鉢底部外側から吸水ひもを取り付ける。
以上、イ）ロ）ハ）の方法があった。【０００３】  外鉢の内部に中鉢が落ち込まないようにするには、栽培鉢の一部が外鉢の下部に貯水用の空間が保たれる位置で外鉢に接し栽培鉢が固定される必要があった、よって栽培鉢と外鉢の形状において汎用性に欠けていた。【０００４】  内底が平らな状態の中鉢に厚みのある吸水ひもを取り付けその上に給水マットを敷くと、吸水ひもの有る部分と無い部分で高低差ができ給水マットを平らに設置することは出来ず、給水マットと栽培鉢の毛細管現象は遮断されることがあった。
【考案の開示】
【考案が解決しようとする課題】
【０００５】  本考案は、それらの欠点を除いて、一般に市販されている多様な形状の栽培鉢を中鉢内に置くだけで、簡単に底面潅水ができ、また栽培鉢の簡単な取替え機能を持った多重構造の園芸鑑賞鉢を開発しようとするものである。
【課題を解決するための手段】
【０００６】  上記の目的を達成するために、本考案は吸水ひも（４）を取り付けた中鉢（１）の底に給水マット（８）を敷く。前記中鉢を外鉢（２）の内側に差し込み、中鉢内の給水マットの上に栽培鉢（９）を置いたことにより構成される。いまその解決手段を図面に追いながら説明する。図１に示すように、底部に吸水ひも（４）の厚さと合致した深さの溝（３）を設けた中鉢（１）の底穴から溝（３）に沿って吸水ひも（４）を取り付ける。吸水ひもの付いた中鉢内に給水マットを敷く。前記の如く構成された中鉢を外鉢（２）の内側に差し込む。中鉢内の給水マットの上に栽培鉢（９）を置く。外鉢内の水（５）は毛細管現象によって、吸水ひもから中鉢内の給水マットを通り栽培鉢内の培土に達する。
【考案の効果】
【０００７】  吸水ひもと給水マットが取り付けられた中鉢を外鉢に差し込んだものに、市販の栽培鉢をそのまま置くだけで簡単に底面潅水ができる。
また、中鉢内部底にひも給水用のひもを組み込む溝を作った事により給水マットを平らに設置でき、栽培鉢の底部と給水マットの密着が良く毛細管現象による水の吸い上げが断たれる事がない。高価で装飾的な外鉢を何回でも使うことが可能で、栽培鉢を簡単に取替える事ができ、また簡単で安定した栽培ができる。
【考案を実施するための最良の形態】
【０００８】  本考案は以上のような構成であることから、これを使用するときは以下のようにする。中鉢の上部に外鉢の上部外径より大きな支持部品（７）を合体させる。中鉢の底穴を貫通し底部溝に沿って吸水ひもを取り付ける。中鉢内部底に給水マットを敷く。中鉢を外鉢内側に差し込む。中鉢内の給水マットの上に栽培鉢を置く。外鉢に入れた水に吸水ひもが接し、また中鉢の底部と水面との間に空間（６）が存在する高さに外鉢に水を入れる。毛細管現象により外鉢の水は吸水ひもと給水マットを通って培土に達し、適度な水分量が栽培鉢内の植物に与られる。外鉢の水が減少したら中鉢を取り出し、外鉢に水を足す。
【実施例】
【０００９】中鉢の側面の形状は単一または複数の板状または線状、または網目状であってもよい。
【図面の簡単な説明】
【００１０】
【図１】    本考案の一実施形態を示す断面図である。
【図２】    従来技術の一実施形態を示す断面図である。
【符号の説明】
【００１１】  １中鉢
２外鉢
３溝
４吸水ひも
５水
６空間
７支持部品
８給水マット
９栽培鉢
【図１】
0003106440.tif 000003
【図２】
0003106440.tif 000004
(57)【要約】【課題】生釣り餌として用いられるハチノスツヅリガ幼虫等の昆虫幼虫の鮮度を保持する方法を提供すること。【解決手段】昆虫幼虫を、除湿剤をその内部に備えた容器内で保存することを特徴とする昆虫幼虫の鮮度保持方法。【選択図】　なし【特許請求の範囲】
【請求項１】
昆虫幼虫を、除湿剤をその内部に備えた容器内で保存することを特徴とする昆虫幼虫の鮮度保持方法。
【請求項２】
昆虫幼虫が、ハチノスツヅリガ類幼虫である請求項１に記載の昆虫幼虫の鮮度保持方法。
【請求項３】
除湿剤が、シリカゲル、塩化カルシウム、塩化マグネシウム、酸化カルシウム、塩化コバルト、ゼオライトおよび活性炭からなる群から選ばれる少なくとも一種である請求項１に記載の昆虫幼虫の鮮度保持方法。
【請求項４】
除湿剤をその内部に備えてなることを特徴とする昆虫幼虫の鮮度保持容器。
【請求項５】
除湿剤が、シリカゲル、塩化カルシウム、塩化マグネシウム、酸化カルシウム、塩化コバルト、ゼオライトおよび活性炭からなる群から選ばれる少なくとも一種である請求項４に記載の昆虫幼虫の鮮度保持容器。
【発明の詳細な説明】
【０００１】
【発明の属する技術分野】
本発明は、昆虫幼虫の鮮度保持方法および鮮度保持容器に関する。
【０００２】
【従来の技術】
趣味としての釣りが盛んになるとともに、生釣り餌の需要が増大している。渓流や河川での生釣り餌として、例えばハチノスツヅリガ類幼虫等の昆虫幼虫が広く用いられており、通常卵から孵化し、２０℃〜３５℃程度の温度で、２０〜４０日間程度飼育された幼虫が生釣り餌として市販されている。
【０００３】
かかる生釣り餌は、鮮度のよさが重要であるが、昆虫幼虫は、時間の経過とともに、鮮度を失い、最終的には死んでしまうことがよくあった。従来、かかる昆虫幼虫の鮮度を保持する方法としては、例えば蓄冷剤で、昆虫幼虫の保存容器を冷やす方法等が知られているが、鮮度保持という点では、まだまだ不十分であった。
【０００４】
【発明が解決しようとする課題】
このようなことから、本発明者らは、生釣り餌として用いられる昆虫幼虫の鮮度を保持する方法について、鋭意検討したところ、除湿剤をその内部に備えた容器内で、昆虫幼虫を保存することにより、昆虫幼虫の鮮度を保持することができることを見出し、本発明に至った。
【０００５】
【課題を解決するための手段】
すなわち本発明は、昆虫幼虫を、除湿剤をその内部に備えた容器内で保存することを特徴とする昆虫幼虫の鮮度保持方法を提供することである。
【０００６】
【発明の実施の形態】
本発明において用いられる昆虫幼虫としては、生釣り餌として用いられる昆虫幼虫であれば特に制限されず、例えばツヅリガ亜科のガレリア・メロネラ（Ｇａｌｌｅｒｉａ　ｍｅｌｌｏｎｅｌａ）等のワックス・ワームと称せられるハチノスツヅリガ類の幼虫が挙げられる。
【０００７】
かかる昆虫幼虫は、天然のものであってもよいし、例えば養殖されたものであってもよい。
【０００８】
本発明は、かかる昆虫幼虫を、除湿剤をその内部に備えてなる容器内で保存するものであり、容器としては、昆虫幼虫を保存可能であれば、特に制限されず、例えば蓋付きの箱、チャック付きのビニール袋等が挙げられる。容器の材質としては、例えば樹脂、金属、木等が挙げられ、樹脂が好ましい。かかる容器には、昆虫幼虫が呼吸可能なように、例えば呼吸穴等が通常設けられている。また、容器には、例えばダンボール、オガクズ等の昆虫幼虫の住処となり得る部材が入れられていてもよい。
【０００９】
容器の形状も特に制限されず、また大きさも、保存する昆虫幼虫の大きさや固体数等に応じて、適宜決めればよい。
【００１０】
除湿剤としては、例えばシリカゲル、塩化カルシウム、塩化マグネシウム、酸化カルシウム、塩化コバルト、ゼオライト、活性炭等が挙げられ、シリカゲルが好ましい。
【００１１】
その使用量は、特に制限されず、容器の大きさや、容器に入れる昆虫幼虫の個体数等に応じて、適宜決めればよいが、あまり多いと、昆虫幼虫の個体数に比べて、大きな容器を用いなければならなくなったり、経済的に不利になりやすいため、実用的には５０個体数の昆虫幼虫に対して、０．１〜５ｇ程度、好ましくは０．２〜２ｇ程度である。
【００１２】
かかる除湿剤は、容器内に備えてあればよく、例えば容器の底面にそのまま分散させておいてもよいし、例えば通気性のある袋等に入れて、容器内に入れておいてもよい。また、例えば容器の内壁あるいは蓋の裏面等に、除湿剤を保持可能で、通気可能な保持部材を設け、該保持部材内に除湿剤を入れておいてもよい。
【００１３】
かかる除湿剤は、保存途中で、新しいものと交換してもよい。
【００１４】
かくして、昆虫幼虫を、除湿剤をその内部に備えた容器内で保存することにより、昆虫幼虫の鮮度を保持することができる。
【００１５】
【実施例】
以下、実施例により本発明をさらに詳細に説明するが、本発明はこれら実施例に限定されない。
【００１６】
実施例１〜４
ハチノスツヅリガ幼虫５０匹を、２５匹ずつ２個の樹脂製容器に入れ、さらに所定量のシリカゲルを入れ、３０日間保管した。保管期間中の平均気温は、２９℃で、平均湿度は、６５％であった。３０日保管した後の、死亡したハチノスツヅリガ幼虫の割合（死幼虫率）を表１に示す。なお、表中のシリカゲル使用量は、ハチノスツヅリガ幼虫５０匹に対する量を意味する。
【００１７】
比較例１
ハチノスツヅリガ幼虫５０匹を、２５匹ずつ２個の樹脂製容器に入れ、シリカゲルを入れずに、実施例１〜４と同様に３０日間保管した。保管期間中の平均気温は、２９℃で、平均湿度は、６５％であった。３０日保管した後の、死亡したハチノスツヅリガ幼虫の割合（死幼虫率）を表１に示す。
【００１８】
【表１】
2004105068.tif 000002
【００１９】
実施例５〜６
ハチノスツヅリガ幼虫５０匹を、２５匹ずつ２個の樹脂製容器に入れ、さらに所定量のシリカゲルを入れ、３０日間保管した。保管期間中の平均気温は、３０℃で、平均湿度は、６８％であった。３０日保管した後の、死亡したハチノスツヅリガ幼虫およびほとんど動きがないハチノスツヅリガ幼虫を除いた鮮度のよいハチノスツヅリガ幼虫の割合（健幼虫率）を表２に示す。
【００２０】
比較例２
昆虫幼虫５０匹を、２５匹ずつ樹脂製容器に入れ、実施例５〜６と同様に、３０日間保管した。保管期間中の平均気温は、３０℃で、平均湿度は、６８％であった。３０日保管した後の、死亡した幼虫およびほとんど動きがない幼虫を除いた鮮度のよい幼虫の割合（健幼虫率）を表２に示す。なお、表中のシリカゲル使用量は、ハチノスツヅリガ幼虫５０匹に対する量を意味する。
【００２１】
【表２】
2004105068.tif 000003
【００２２】
【発明の効果】
本発明によれば、生釣り餌として用いられる昆虫幼虫を、鮮度よく保存することができる。
(57)【要約】【課題】原料である草木の葉の成分や旨味が湯中に十分に浸出するようにした漢方茶の製造方法を提供する。【解決手段】ビワ、イチョウ、クワ、カキ、ドクダミ、又はスギナの生葉を切断し、蒸気で蒸し、熱風を送りつつ揉み、乾燥させ、整形した後、再度乾燥させることにより香気と旨味とを増すように仕上げることを特徴とする漢方茶の製造方法。生葉を揉んだ後、粉砕し、再び揉むようにしてもよい。また、再度乾燥させる前にブレンドしてもよい。【選択図】　図１
2004105036.tif 000002
【特許請求の範囲】
【請求項１】
ビワ、イチョウ、クワ、カキ、ドクダミ、又はスギナの生葉を切断し、蒸気で蒸し、熱風を送りつつ揉み、乾燥させ、整形した後、再度乾燥させることにより香気と旨味とを増すように仕上げることを特徴とする漢方茶の製造方法。
【請求項２】
ビワ、イチョウ、クワ、カキ、ドクダミ、又はスギナの生葉を切断し、蒸気で蒸し、熱風を送りつつ揉み、粉砕し、再び揉み、乾燥させ、整形した後、再度乾燥させることにより香気と旨味とを増すように仕上げることを特徴とする漢方茶の製造方法。
【請求項３】
ビワ、イチョウ、クワ、カキ、ドクダミ、又はスギナの生葉を切断し、蒸気で蒸し、熱風を送りつつ揉み、粉砕し、再び揉み、乾燥させ、整形し、ブレンドした後、再度乾燥させることにより香気と旨味とを増すように仕上げることを特徴とする漢方茶の製造方法。
【発明の詳細な説明】
【０００１】
【発明の属する技術分野】
本発明は漢方茶の製造方法に関するものである。
【０００２】
【従来の技術】
本出願人は漢方茶の製造方法に関する先行技術文献情報を有するものではないが、従来の漢方茶は草木の生葉を天日に晒し又は棚上に載置して自然乾燥させた後、更に乾燥機により乾燥させるという簡単な製造方法により製造されていた。
【０００３】
【発明が解決しようとする課題】
しかるに、上記の如く簡単な製造方法により製造された漢方茶は、これに湯を注いでも原料である草木の葉の成分や旨味が湯中に十分に浸出しないという問題がある。
【０００４】
このような点に鑑み、本発明は、原料である草木の葉の成分や旨味が湯中に十分に浸出するようにした漢方茶の製造方法を提供しようとしてなされたものである。
【０００５】
【課題を解決するための手段】
上記課題を解決するために、本発明は下記の漢方茶の製造方法を提供する。
【０００６】
（１）ビワ、イチョウ、クワ、カキ、ドクダミ、又はスギナの生葉を切断し、蒸気で蒸し、熱風を送りつつ揉み、乾燥させ、整形した後、再度乾燥させることにより香気と旨味とを増すように仕上げることを特徴とする漢方茶の製造方法（請求項１）。
【０００７】
（２）ビワ、イチョウ、クワ、カキ、ドクダミ、又はスギナの生葉を切断し、蒸気で蒸し、熱風を送りつつ揉み、粉砕し、再び揉み、乾燥させ、整形した後、再度乾燥させることにより香気と旨味とを増すように仕上げることを特徴とする漢方茶の製造方法（請求項２）。
【０００８】
（３）ビワ、イチョウ、クワ、カキ、ドクダミ、又はスギナの生葉を切断し、蒸気で蒸し、熱風を送りつつ揉み、粉砕し、再び揉み、乾燥させ、整形し、ブレンドした後、再度乾燥させることにより香気と旨味とを増すように仕上げることを特徴とする漢方茶の製造方法（請求項３）。
【０００９】
【発明の実施の形態】
次に、本発明の実施の形態を添付図面に従って説明する。
【００１０】
（１）生葉
ビワ、イチョウ、クワ、カキ、ドクダミ、又はスギナの生葉を採取し、カッターにより適宜切断する。
【００１１】
（２）蒸し
切断した生葉を蒸機により１００℃以上の蒸気で３０〜２００秒間蒸す。
【００１２】
（３）葉打
葉打機により３０〜１５０℃の熱風を送りつつ、５〜１５分間揉み込む。
【００１３】
（４）粗揉
粗揉機により５０〜１３０℃の熱風を送りつつ、１０〜４０分間揉み込む。
【００１４】
（５）粉砕
粗揉によりかなり乾いた葉をチョッパー機により粉砕する。使用する原料（ビワ、イチョウ、クワ、カキ、ドクダミ、又はスギナ）により、粉砕を行わないこともある。
【００１５】
（６）揉捻
揉捻機により３〜５分間より込む。
【００１６】
（７）中揉
中揉機により３０〜１５０℃の熱風を送りつつ、更により込む。
【００１７】
（８）乾燥
乾燥機により６０〜１５０℃の熱風により２０〜６０分間乾燥させる。
【００１８】
（９）整形
平行機により茶の形を整える。
【００１９】
（１０）粉砕
粉砕機により大きな茶を切断する。
【００２０】
（１１）合組
必要に応じて合組機により合組（ブレンド）を行なうことにより香味等を調整する。ブレンドは同一原料の茶同士で行われるが、異種原料の茶をブレンドしても差し支えない。
【００２１】
（１２）仕上再製加工
８０〜１５０℃の温度で乾燥火入れを行うことにより香気と旨味とを増し、より飲みやすくなるように仕上げる。
【００２２】
【実施例】
ビワの生葉を採取し、カッターにより細かに切断し、蒸機により１１０℃の蒸気で１００秒間蒸した。葉打機により１００℃の熱風を送りつつ、１０分間揉み込んだ。粗揉機により１００℃の熱風を送りつつ、２０分間揉み込んだ。揉捻機により４分間より込み、中揉機により８０℃の熱風を送りつつ、更により込んだ。乾燥機により９０℃の熱風により４０分間乾燥させ、平行機により茶の形を整え、１２０℃の温度で乾燥火入れを行うことにより香気と旨味とを増し、より飲みやすくなるように仕上げ、漢方茶を得た。
【００２３】
【発明の効果】
［請求項１の発明］
ビワ、イチョウ、クワ、カキ、ドクダミ、又はスギナの生葉を切断し、蒸気で蒸し、熱風を送りつつ揉み、乾燥させ、整形した後、再度乾燥させることにより香気と旨味とを増すように仕上げるようにしたため、原料であるビワ、イチョウ、クワ、カキ、ドクダミ、又はスギナの葉の成分や旨味が湯中に十分に浸出する。特に、仕上げ加工により漢方茶の香気と旨味が増大し、より飲みやすい漢方茶となる。
【００２４】
［請求項２の発明］
生葉を揉んだ後、粉砕し、再び揉むようにしているため、原料中の成分や養分が湯中に好ましく浸出する。その他の点においては、請求項２の発明は上記請求項１の発明と同様の効果を発揮する。
【００２５】
［請求項３の発明］
ブレンドにより香味等が向上する。その他の点においては、請求項３の発明は上記請求項２の発明と同様の効果を発揮する。
【図面の簡単な説明】
【図１】本発明による漢方茶の製造方法の一例を示す説明図である。
【図１】
2004105036.tif 000003
(57)【要約】【課題】牡蠣の養殖の際の、死滅の原因になる、排泄物や有毒ガスなどの有機物を抑制し、海水浄化を行い牡蠣の生存率を上げ、更には牡蠣筏の再利用が可能な養殖の方法を提供する。【解決手段】竹炭マットを牡蠣筏の真下の海中に、複数枚吊設し、魚介類から出る糞などの排泄物等を直接受けとめ吸着し、排泄物等によって発生する汚染物質や有毒ガスを吸着するようにし、海水浄化を行う。牡蠣の養殖筏を、竹製の養殖筏を利用し、耐用年数が過ぎた際には、養殖筏を粉砕・焼却し、竹炭にすることによって、竹炭マットへの再利用が可能とした。【選択図】図１
2004105081.tif 000002
【特許請求の範囲】
【請求項１】
牡蠣の種付稚貝を垂下式にする養殖方法において、海水浄化させ、養殖牡蠣の死滅を減少させるための手段として、養殖筏に竹炭マットを敷設することを特徴とした養殖方法
【請求項２】
請求項１記載の竹炭マットは、当該マットに魚貝類の排泄物や有毒ガスなどの有機物を吸着させるため、養殖筏の真下の海中に、複数枚吊設した状態で設置し養殖を行うことを特徴とする牡蠣の養殖方法
【請求項３】
前記養殖筏を、竹製の養殖筏を利用し、耐用年数が過ぎた際には、養殖筏を粉砕・焼却し、竹炭にすることによって、竹炭マットへの再利用が可能な牡蠣の養殖方法
【発明の詳細な説明】
【０００１】
【発明の属する技術分野】
本発明は、牡蠣の養殖を行う際に、発生する魚貝類の排泄物や有毒ガスなどの有機物を抑制して、海水を浄化して、牡蠣の死滅を防止し、生存率を高めた養殖方法に関する。
【０００２】
【従来の技術】
従来、牡蠣などの養殖を行う際は、帆立貝に種付稚貝を付着させ、帆立貝を養殖筏に吊るして養殖することが一般的である。その際の魚貝類の排泄物などによる海水汚染を抑制し、牡蠣の生存率を高める方法として、下記のような文献があった。
【０００３】
【特許文献】特開２００２−１０１７８３
これは、養殖筏に炭素物質を吊るして養殖雰囲気中に配置するような方法である。
【０００４】
【特許公報】特開２０００−８３５０８
これは、貝養殖筏に、小石状の軽量材料を詰めた籠枠を配設し、この籠枠内の軽量材料で貝の排泄物を受ける方法である。
【０００５】
【考案が解決しようとする課題】
しかし特開平２００２−１０１７８３の方法では、種付稚貝を付着させた帆立貝と一緒に吊るした状態になるため、潮の流れによって、帆立貝と炭素物質が絡み合ったり、引き上げの際にも支障をきたすことが多かった。
また、特開２０００−８３５０８の方法では、糞は直接受けとめられるが、吸着したり、糞などの排泄物より発生する汚染物質や、有毒ガスの吸着はできなかった。
更には、養殖筏の再利用も含めて、海水の浄化をし、牡蠣の死滅を防止し、生存率を高めるといった、方法はなかった。
【０００６】
本発明の目的は、前記従来例の不都合を解消し、死滅の原因になる、排泄物や有毒ガスなどの有機物を効率よく吸着し海水を浄化し、耐用年数を過ぎた牡蠣筏の廃棄の問題をも解決できるよう、養殖筏の再利用が可能な養殖の方法を提供する。
【０００７】
【課題を解決するための手段】
そこで本発明は、上記目的を達成するため、竹炭の、木質組織中に占める維官束数が多く微細孔があるための吸着性能と、牡蠣筏のほとんどが竹製であることに、着目し、使用済みの竹筏を粉砕・焼却し、竹炭にし、竹炭マットへの再利用できることも考慮して、竹炭マットを牡蠣筏の真下の海中に、複数枚吊設し、魚介類から出る糞などの排泄物等を直接受けとめ吸着し、排泄物等によって発生する汚染物質や有毒ガスを吸着するようにした。
【０００８】
【発明の実施の形態】
実施の形態を、図面を参照して説明する。
図１のように、養殖筏１の四隅に、ボールシャフト３取付ける。ボールシャフト３には、回転軸にロープ４を巻着させている。また、ロープ４には、錘５を具設する。
竹炭マット６は、図３にように複数枚を並列させて、それぞれ連結させ両端に、たるみが出ないよう、パイプ製の芯７を差込み、竹炭の効果が広範囲に浸透するようにする。
図１のように、養殖筏１のボールシャフト３からロープ４を約６〜７ｍ程度の長さで、掛架させ、上記の芯７を差し込んだ竹炭マット６を、結合させ、養殖筏１の底面に敷設し、養殖を行う。
以下は、上述した、実施の形態を実施した場合と、実施しない場合の、牡蠣の生存率を比較調査を行った。下記は、その結果を表に示したものである。
【０００９】
調査は、岡山県邑久郡邑久町虫明海域にて行い、まず５月の帆立貝に、種付けした牡蠣を筏に設置。更に、７月に当該発明の竹炭マットを牡蠣筏の真下に敷設し、観察した。
【００１０】
【表１】竹炭マットを使用した養殖筏
2004105081.tif 000003
【００１１】
【表２】竹炭マットの使用無しの養殖筏
2004105081.tif 000004
【００１２】
【表３】表１と表２の比較表
2004105081.tif 000005
【００１３】
上記の結果をみると、注目すべきは気候で、９月３日の結果をみると、気候によって生存率が２０％も差がでてくるということである。この調査をおこなった年の８月中旬から９月上旬は、気温が３５度をこえる猛暑が続いたため、竹炭マットが無い養殖筏は、猛暑による有毒なガスの発生や、有機物の発生などにより、牡蠣が死滅する結果となった。
しかし、竹炭マットを使用した養殖筏は、竹炭マットが有毒ガスなどの有機物を吸着しているため、牡蠣の死滅を減少する顕著な効果がみられた。
また、９月１７日の結果については、台風が接近したため、海水が循環されたため、大きな差は得られなかった。次に、１０月２４日は台風後、平年並みの気候が続き、約１０％以上の効果がみられた。
【００１４】
【発明の効果】
本発明は、上述した構成によって、以下のような効果を奏する。
調査の結果でも明らかではあるが、本発明の竹炭のマットを養殖筏に敷設することによって、牡蠣の死滅を減少させることができる。　特に例年牡蠣の死滅の激しい、真夏に効果があることが分かった。
このことから、竹炭本来の特性により海水の浄化が出来、汚染物質の発生を抑制し気候の変化にも耐えうる牡蠣の養殖方法が提供出来る。
更には、耐用年数を過ぎた養殖筏の廃棄処理が問題になっており、養殖業者の養殖筏の廃棄費用の負担も膨大になっている近年に、本発明であれば、養殖筏を再利用することができるため、牡蠣の生存率も上がり、養殖筏の再利用も可能であれば、養殖業者の利益にも大きく貢献できる。
【図面の簡単な説明】
【図１】養殖筏に、竹炭マットを敷設した使用図
【図２】ボールシャフトの拡大図
【図３】竹短マットを複数枚連結させた図
【符号の説明】
１．　養殖筏
２．　牡蠣
３．　ボールシャフト
４．　ロープ
５．　錘
６．　竹炭マット
７．　芯
【図１】
2004105081.tif 000006
【図２】
2004105081.tif 000007
【図３】
2004105081.tif 000008
(57)【要約】【課題】従来の歩行器を改善して、足腰の不自由度の大きい人でも、より安全に、より少ない負担で、より長時間、長距離の利用ができるよう、また食堂、トイレへの往復により安全に、容易に利用できるようにする。【解決手段】従来の歩行器に適切な支持法でサドル（４）を取り付け、また低い位置に車停止機構つきの手摺（６）をつけることにより、より安全により小さい負担で、立ち上がり、腰掛け、また移動できるようにする。これにより、足腰の不自由度の高い人の歩行器利用の可能性を高め、より長時間の訓練、散歩を可能にし、また日々の生活での必需品として利用率を高めることができる。【選択図】　図１
2004105396.tif 000002
【特許請求の範囲】
【請求項１】
従来型のものに適切な支持機構でサドルを付加した歩行器。
【請求項２】
車を停止させる機能を持つ手摺あるいはハンドルを備えた歩行器。
【発明の詳細な説明】
【０００１】
【発明の属する技術分野】
足腰の不自由度の大きい人が一人で楽に安全にトイレに行き用を足すことを可能にし、長時間の歩行や歩行中の休息を可能にする歩行器の構造に関する。
【０００２】
【従来の技術】
歩行器を用いると、足腰の不自由な人が腰掛けている状態から立ち上がって前向きのまま歩行開始でき、また後ろ向きに接近して後ろ向きのまま腰掛けることができる点で、車椅子に較べて大変優れている。しかし従来の歩行器では、歩行中の体を支えるのは肘パッドに置かれた両腕だけであり、足腰と共に疲れてきたとき腰掛けて休む場所を探さなければならない。また足腰の不自由度の大きい人の利用は一般に困難で、車椅子に頼る必要があった。さらに従来の歩行器には車を止める機能がないので、立ち上がったり座ったりする際の安全面に問題があった。
【０００３】
【発明が解決しようとする課題】
足腰の不自由度の大きい身障者でも、トイレ、食堂等への往復が一人で容易に安全にでき、また疲労少なく長時間の散歩もできるような歩行器の開発。そこには、歩行器をリハビリ訓練の道具として捉えず、日常の生活を楽に容易にするための道具として考えるという発想の転換がある。
【０００４】
【課題を解決するための手段】
身障者の日常の生活を容易にする道具としての歩行器の機能を充実させるために、次のような改善策を考案した。従来の歩行器では肘パッド上に置いた腕で体を支えていたが、適切な位置にサドルを付加することにより体の重さの大半をサドルで支えることができ、疲労が少なくなり長時間の散歩を可能にする。サドルの取り付け位置、方向は調整できるようにし、支持方法にも工夫を加える。立った姿勢だけでなくサドルに腰掛けるように騎乗する姿勢がとれるよう、サドルを含めて歩行器全体の高さを低くし、容易に乗り降りできるようにすることも場合によっては必要であろう。またベッド等に腰掛けた状態からより安全に楽に立ち上がったり腰を下ろしたりすることができるよう、肘パッドより低い５０〜６０ｃｍの高さの左右両側に手摺を設け、この手摺に上から力を加えると、上下可動脚が床を圧接して歩行器を完全に停止させる機能を持たせる。
【０００５】
【発明の実施の形態】
図１はサドルつき歩行器の鳥瞰図である。サドルは種々の形のものが交換できるようにし、取り付け位置、高さを変えることのできる支持方法をとる。サドルを使用しない場合には、邪魔にならない方向に回すこともできるようにするとさらによい。
【０００６】
腰掛けた姿勢から立ち上がったり腰を下ろしたりする際、肘パッドより低い位置に体重を支える手摺が両側にあると便利である。この手摺は例えば便座に腰掛けた臀部の位置を修正する際にも利用できる。
【０００７】
しかし中腰の状態で車が動くと極めて危険である。このため手摺を押えると、可動脚が床を突いて車が動かないようにする機能をもたせる。
【０００８】
歩行器の利用目的を散歩、リハビリから外し、食堂あるいはトイレへの往復に利用することを目的とする場合には、肘パッドの高さをテーブル下面よりも低くし、同時にサドル高さも低くした歩行器が便利である。この場合歩行中の全体重はサドルに預ける。車停止機能は肘パッドの一部に持たせるとよい。
【実施例】
【０００９】
サドルの形は使用の目的、使用者の好みによって選択使用できるようにする。細いサドルを用いれば殆どサドルを意識せずに歩行訓練することができ、広いサドルを使えば長時間の歩行が可能となる。
【００１０】
サドルの位置、高さ等についても必要に応じて調整できるようにする。サドルは、完全に固定支持するよりも、弾力性を持たせて支持し、歩行の度に前後左右にまた方向が変化できるものの方が股ずれ等を起し難い。具体的には種々の方法が考えられるのでここでは支持方法の特定はしない。
【００１１】
立ち上がる際あるいは腰掛ける際に利用する手摺を新たに設けると、歩行器全体が重い感じになる。ここでは折りたたみ用のパイプを手摺として共用する例を示した。
【発明の効果】
【００１２】
最も大きい効果は、トイレヘ行くのに介助を必要としていた病人、身障者が、サドルつき歩行器を用いて自分で用を足すことができるようになる場合に現れる。
【００１３】
サドルつき歩行器は、歩行困難な病人が食堂、トイレに行くことを安全容易にし、車椅子を利用する場合より転倒事故等を大幅に減らすことが出来る。
【００１４】
サドルをつけることにより、体重を一部又は全部サドルに預けることができ、疲労を軽減できる。また疲れたときは全体重をサドルに託して休息したり、景色を眺めたりすることが可能となる。
【００１５】
車を停止する機能をもつ手摺を低い位置につけることにより、腰の上げ下げ、サドルへの乗り降りが安全かつ容易となる。
【図面の簡単な説明】
【図１】サドルつき歩行器の鳥瞰図である。
【符号の説明】
（１）　肘パッド
（２）　歩行器脚パイプ
（３）　キャスタ
（４）　サドル
（５）　サドル支持パイプ
（６）　手摺
（７）　停止脚
【図１】
2004105396.tif 000003
(57)【要約】【目的】座の下に収納スペースがある椅子の、座の開閉の仕方がスライド式で突然閉まったりしない安全な提案。【構成】椅子の座を支える、左右の内側の側面に溝をほり、座をそれにそってスライドさせ、収納部分の開閉する。【選択図】　図１
2004105322.tif 000002
【特許請求の範囲】
【請求項１】
椅子の座る部分、座の下に収納スペースを備えた椅子において、座の部分を、座を支えるサイドの凹溝に沿って、座をスライドさせる側の箱の部分の一面の下部分を９０度ではなく、緩やかなカーブにすることによって、座をその面にスライドすることによって、収納部分を開閉することのできる収納スペース付椅子。
【発明の詳細な説明】
【０００１】
【産業上の利用分野】
本発明は、収納スペース付椅子の座、腰掛け式簡易便器に関するものである。
【０００２】
【従来の技術】
従来、座の下部に収納スペースのある座は、開くときには蓋の部分として、後方に丁番がついていて、手前から持ち上げ収納スペースを開放する構造になっている。
【０００３】
また、移動可能な簡易便器、腰掛け式簡易便器においても、従来、蓋の部分を手前から持ち上げて便器内を開放する構造、蓋の部分を取り外して開放する構造、スライドさせて二つ折りにする構造になっている。
【０００４】
【発明が解決しようとする課題】
従来の方法では不意に蓋が閉じて、手を挟んだり、勢いよく閉まって大きな音が発生し耳障りで、しかも閉鎖時の衝撃で蓋が壊れやすいといった問題もあった。
【０００５】
また手を上にあげることのできない方にとって不自由な方法であり、簡易便器の場合、背中に蓋があることで、背もたれを使用できないことがある。
【０００６】
本発明は、これらの欠点を除くために、座、蓋の部分を、それを支える横の部分に沿ってスライドさせ、押したり、引いたりすることによって、閉じたり開いたりし、開いた状態のときも、収納スペースの側面に移動しているので、不意に蓋がしまったりすることがなく、簡易便器として使用するときも、背面に蓋がなく、背もたれを使用しやすく、蓋の置き場所にも困らず、収納が可能である。
【０００７】
【課題を解決するための手段】
上記の問題を解決するために、椅子の座、収納部分の蓋となる面を、２センチから９センチの板を丁番でつなぎ、すのこの隙間の開かない形をつくる（図８）。
【０００８】
イスの座を支える側板の前部分からまたは後ろ部分から、座の部分を流したい方向に、説明では後方に、座の大きさや、収納スペースの高さによって、収納スペースの下まで、凹溝を緩やかなカーブを描きながらつけ（図６）、左右対称に作る。
【０００９】
座となる部分のすのこに使用する丁番は、（図９）のように、一部に突起のできるようにし、その突起にリングをかぶせ動きがスムーズにできるようにし、すのこから突起の部分がはみ出すように取り付け、その飛び出した部分を、イスの座を支える側面の凹溝に差込み、左右ではさむ。
【００１０】
イスの座の下の、収納部分となるところの、座をスライドさせる方向の一面は、側面の板に彫った凹溝のカーブに沿って、その面をカーブさせる。
【００１１】
【実施例】
本発明の実施例として、図面に基づいて説明する。（図１）は蓋の閉鎖状態、（図２）は蓋の開放状態を示す図です。
【００１２】
これを腰掛式簡易便器に応用すると、すのこの座の下に（図１０）のように便座を取り外しできるように備え、収納部分にバケツを収納すると、腰掛式簡易便器となる。
【００１３】
腰掛式簡易式便器として使用すると、それを必要とする人が、自室に置いてあっても、他の人にトイレとあからさまにわからず、嫌な思いをすることがない。
【００１４】
【発明の効果】
体の不自由な人で、手を上に上げたりできない人でも、押したり、引いたりすることで、蓋の部分の開閉が簡単にでき、不意に扉が閉まることが無く、収納部分が、安全で使いやすくなる。
【００１５】
蓋が外側に、流れていくので、内部の収納部分に、物が入っていても邪魔にならなく、また中の品物が、ずれたり、潰れたりすることがなく、開閉も簡易にすることができる。
【図面の簡単な説明】
【図１】は本発明の斜視図、蓋閉鎖時で（ａ）は本体（ｂ）は袖をはずしたときの袖の部分
【図２】は本発明の斜視図、蓋開時で（ａ）は本体（ｂ）は袖をはずしたときの袖の部分
【図３】は本発明の前から見た図
【図４】は本発明の後ろから見た図
【図５】は本発明の横から見た図
【図６】は本発明の前から後ろに切ったときの断面図
【図７】は本発明の上から見たときの図
【図８】は本発明の椅子の座、収納部分の蓋となるすのこの図
【図９】は本発明の（図８）に取り付ける丁番の図
【図１０】は本発明の便座を取り付けるときの図
【符号の説明】
１　凹溝
２　リング
３　丁番
【図１】
2004105322.tif 000003
【図２】
2004105322.tif 000004
【図３】
2004105322.tif 000005
【図４】
2004105322.tif 000006
【図５】
2004105322.tif 000007
【図６】
2004105322.tif 000008
【図７】
2004105322.tif 000009
【図８】
2004105322.tif 000010
【図９】
2004105322.tif 000011
【図１０】
2004105322.tif 000012
(57)【要約】【課題】釣り竿等の長尺物を収容するバックにあって、底部の傷みを防止し、また、岩場や地面等に立てかけた場合における横滑りを防止することを目的とする。【解決手段】上方が開口した箱体の角部に、柔軟性樹脂から構成され、側部への張り出し部と、下方側への張り出し部とを有する保護材を配置固定したことを特徴とする竿バック等の底体。【選択図】　　図２
2004105204.tif 000002
【特許請求の範囲】
【請求項１】
上方が開口した箱体２の角部に、柔軟性樹脂から構成され、側部への張り出し部３と、下方側への張り出し部４とを有する保護材５を配置固定したことを特徴とする竿バック等の底体。
【発明の詳細な説明】
【０００１】
【発明が属する技術分野】
この発明は、釣り竿やゴルフクラブ等の長尺物を収容するバックを製作する際に使用する底体に関するものである。
【０００２】
【従来の技術】
釣り竿等の長尺物を保管したり携行したりする場合には、複数の釣り竿を収容できる大きさに形成したバックが使用されるのであるが、このようなバッグは、保管や携行の際に、岩場や地面の上に立てかけた状態で置かれる場合が多いのであるが、底部が岩場等に接触して摺り切れて傷む可能性があり、従来のものは、底板の四箇所に鋲を打って、底板の傷みを防止するようにした構成となっているのである。
【０００３】
【発明が解決しようとする課題】
しかし、底板に鋲を打った場合、底板の裏部の傷みを防止し得るのであるが、バックの四隅が地面や岩等に接触して摺り切れてしまうと欠点があり、特に、岩場を絶えず移動する磯釣り等を行なう場合、バックの底部が頻繁に岩や地面に接触することになり、短期間の内に底板の角が摺り切れ、使用できなくなってしまうのである。また、底板の裏面に鋲を打った構成とした場合、滑りやすく、転倒した際に竿やリールを傷めたり、また、バックそのものを海中に落としてしまうというようなことにもなり兼ねないのである。
【０００４】
この発明は、従来のバックにみられた上記のような欠点を除去しようとするものである。
【０００５】
【課題を解決するための手段】
この発明に係る底体は、釣り竿等を収容するバックを製造する際に、底部に配置させて縫合固定することによって使用するものであって、上方が開口した箱体の角部に、柔軟性樹脂から構成され、側部への張り出し部と、下方側への張り出し部とを有する保護材を配置固定した構成となっており、バッグの底に取り付けることにより、バックにおける底部の摺り切れを防止し、バックの耐久性の向上を図り得るようにしようとするものである。
【０００６】
【実施例】
図面にもとづいて、この発明の実施例を説明すると、底体本体１は、図１乃至図４に示すとおり、上方が開口した箱体２の角部に、柔軟性樹脂から構成され、側部への張り出し部３と、下方側への張り出し部４とを有する保護材５を配置させて固定した構成となっているのである。
【０００７】
すなわち、箱体２は、硬質樹脂により、角部が円弧状になる正方形の底板部６の周囲に立ち上り壁部７を形成して上方が開口した箱体になるよに金型成形されており、上開口部の縁部よりやや下方位置に、縁部に沿って溝８が形成された構成となっているのである。
【０００８】
保護材５は、柔軟性樹脂により、外側部が円弧状となる側部への張り出し部３と、下方に突出した張り出し部４部とを有するとともに、内側部が箱体２の角部の形に対応する形の凹部９を形成した立ち上り部１０を、板部１の四隅に配置した形となるように金型で一体成形した構成となっており、図４に示すにうよに、立ち上り部１０の凹部９に箱体２の角部１２を嵌め合わせた状態として固定することによって、箱体２に保護材５が取り付けられ、それにより、箱体２の角部に、側部への張り出し部３と、下方側への張り出し部４とを有する保護材５を配置させた構成となっているのである。
【０００９】
この発明に係る底体本体１は、上記のような構成であって、図１に示すにように、竿等の長尺物を収容し得るように縫製した袋体１３の下方開口底部に、箱体２の開口部を配置させた状態とした後、ミシンでの縫合、あるいは接着材での接着により固定することによってバッグが形成されるのである。
【００１０】
【発明の効果】
この発明に係るバッグの底体は、上記のような構成であって、釣竿等の長尺物を収容するバックの底に使用することにより、従来のバックにみられたように、岩場等との接触により底角部が摺り切れたり、傷んだりするのを防止し、また、下方側に張り出した弾力性の樹脂により、横滑りを防ぐことができ、バックが転倒して、中に入れた竿やリールを傷めるというようなことを防止し得るという利点があるのである。
【図面の簡単な説明】
【図１】底体を使用してバックを形成した場合の斜視図である。
【図２】底体の全体を示す斜視図である。
【図３】底体の構成を示す分解斜視図である。
【図４】底体の裏面部を示す底面図である。
【符号の説明】
１　底体本体
２　箱体
３　張り出し部
４　張り出し部
５　保護材
【図１】
2004105204.tif 000003
【図２】
2004105204.tif 000004
【図３】
2004105204.tif 000005
【図４】
2004105204.tif 000006
(57)【要約】【課題】睡眠時上向き横臥姿勢では鼾をかく者でも頭を横向きにした睡眠姿勢では鼾の抑制効果あることが確認され、従来、枕の形状等で上向き横臥姿勢をさせない様に様々な工夫をした枕がある。しかしながら，従来のいずれの発明も、就寝間確実に頭を左右に向けさせ続けることのできる効果は得られていない。【解決手段】（ａ）上向きに湾曲させたマクラ（１）の底面に枕底板（２）を設ける、（ｂ）枕底板の下側中央に脚（３）を設ける、（ｃ）軸（４）を介して台（６）に設けた支柱（５）に接合する。の如く構成することにより、枕の形状と、シーソー作用により就寝間確実に頭を左右に向けさせ続けることのできるいびき抑制枕を提供する。【選択図】図２
2004105288.tif 000002
【特許請求の範囲】
【請求項１】
（ａ）　上向きに湾曲させたマクラ（１）の底面に枕底板（２）を設ける、
（ｂ）　枕底板（２）の下側中央に脚（３）を設ける、
（ｃ）　軸（４）を介して台（６）に設けた支柱（５）に接合する。
以上の如く構成されたいびき抑制枕
【発明の詳細な説明】
【０００１】
【発明が属する技術分野】
この発明は、いびき抑制効果を目的とする睡眠用枕に関するものである。
【０００２】
【従来の技術】
【特許文献１】特開２００１−１６１５３２
【特許文献２】特開２０００−２５３９７７
【特許文献３】特開２０００−２３８１３
【特許文献４】登録実用新案第３０５１６２３号
【特許文献５】登録実用新案第３０４０５５３号
【特許文献６】実開平６−３３５７５
【特許文献７】実開平６−３３５７４
睡眠時眠時上向き横臥姿勢では鼾をかく者でも頭を横向きにした睡眠姿勢では鼾の抑制効果あることが確認され、従来、枕の形状等で上向き横臥姿勢をさせない様に様々な工夫をした上記発明の枕がある。
特許文献１はアーチ状の形状により特許文献２及び３は山部と谷部の組み合わせ形状により、特許文献４及び，６，７は中央を高くして両サイドに低くなる傾斜形状により，そして特許文献５は枕の一方を足で高くして枕そのものを一方に傾斜させ、それぞれ頭を上向きに保ち難い傾斜形状によって横向き姿勢にさせようとするものである。
【０００３】
【発明が解決しようとする課題】
しかしながら、従来の発明は、以下のような欠点がある。
Ａ　特許文献１、４、６、７は端に行くほど枕の高さが足らなくなり、頭が下がり枕の効果そのものが無くなるうえ、傾斜のために不安定で遂には枕から頭がずれ落ちてしまう。Ｂ　特許文献２，３は枕から頭は外れ難いが谷部に入ってしまった後寝返りによる上向き姿勢になろうとする動作をを抑制する効果が無くなる。
等上記いずれの発明も就寝間頭を横向きに保ち続けることが難しく所望の鼾抑制効果を維持発揮できないという欠点、問題点がある。
【０００４】
【課題を解決するための手段】
本発明は、以上の欠点，問題点を改善するため、
（ａ）　上向きに湾曲させたマクラ（１）の底面に枕底板（２）を設ける、
（ｂ）　枕底板の下側中央に脚（３）を設ける、
（ｃ）　脚（３）を軸（４）を介して台（６）に設けた支柱（５）に接合する。
の如く構成する。
【０００５】
【実施例】
本発明のいびき抑制枕（１）は、
Ａ　枕（１）は上向きに湾曲の形状で、かつ左右に倒れても枕の高さが変わらないように中央部分の厚さを薄く、両側を横向き時の高さに合わせた厚さとする。
Ｂ　枕の素材には、ウレタン等適当な柔らかさと、形状を保てる固さ備えた素材を用いる。
Ｃ　枕の底面板（２）は枕の湾曲形状を形成保持するために、脚（３）および軸（４）支柱（５）は枕と頭の重さを支えるために金属等必要な強度を備えた素材とする。
Ｄ　台（６）は非金属でも良いが布団を痛めないように加工するともに、台の底面は、ずれ防止のためゴム等の素材をを張りつける。
【０００６】
【発明の効果】
本発明は、枕のシーソー作用により、頭を上向きの状態を保つことが難しく、枕はすぐに軸を中心に左右どちらかに倒れ、頭は強制的に確実に横向きにされる。寝返りして上向きになろうとすれば、枕はその形状により頭をしっかりとらえたまま追従し、すぐ左右どちらかに倒れ再び横向きにされ、就寝間確実に鼾抑制姿勢を保ち続けることができる。
【０００７】
【図面の簡単な説明】
【図１】本発明の斜視図
【図２】本発明の断面図
【図３】使用状態図
【図４】使用状態図
【符号の説明】
１　枕
２　枕底版
３　脚
４　軸
５　支柱
６　台
【図１】
2004105288.tif 000003
【図２】
2004105288.tif 000004
【図３】
2004105288.tif 000005
【図４】
2004105288.tif 000006